(57)【要約】      （修正有）【課題】自動車の駐車場所や駐車スペース等に制約がなく、どのようなサイズの自動車に対しても汎用的に広く適用できる自動車併設用広告支持具を提供する。【解決手段】駐車された自動車のタイヤ１２の接地面に載置される基部２と、広告掲示部を支持し略鉛直方向に延びる支持棒を着脱可能に支持する着脱部３と、タイヤ１２のうち接地面と接触している接触部位１５を挟み自動車の車幅の外方から車幅方向に沿ってそれぞれ挿入配置され、かつ基部２から遠ざかるにつれて互いの間隔が大きくなるように逆ハの字を構築し、かつ基部２に一体的に設けられた前接地足部４及び後接地足部５とを有し、前接地足部４及び後接地足部５は、接地面に対して略直交するように立設され、自動車のサイズに応じてタイヤ１２との当接位置が略車幅方向に可変となる、前可変当接部６及び後可変当接部７を備える。【選択図】図４
0003233389.tif 000002
【実用新案登録請求の範囲】
【請求項１】
駐車された自動車のタイヤの接地面に載置される基部と、
広告掲示部を支持し略鉛直方向に延びる支持棒を着脱可能に支持し、かつ前記基部に一体的に設けられた着脱部と、
前記タイヤのうち前記接地面と接触している接触部位を挟み前記自動車の車長方向に沿った前側及び後側において当該自動車の車幅の外方から前記車幅方向に沿ってそれぞれ挿入配置され、かつ前記基部から遠ざかるにつれて互いの間隔が大きくなるように逆ハの字を構築し、かつ前記基部に一体的に設けられた前接地足部及び後接地足部と、
を有する自動車併設用広告支持具であって、
前記前接地足部及び前記後接地足部は、
前記接地面に対して略直交するように立設され、前記自動車のサイズに応じて前記タイヤとの当接位置が略車幅方向に可変となる、前可変当接部及び後可変当接部を備える
ことを特徴とする自動車併設用広告支持具。
【請求項２】
請求項１記載の自動車併設用広告支持具において、
前記前接地足部及び前記後接地足部のうち少なくとも前記前可変当接部及び後可変当接部は、所定間隔で配列された軽量化用の複数の貫通孔及び／又は切り欠き部を備える
ことを特徴とする自動車併設用広告支持具。
【請求項３】
請求項１又は請求項２記載の自動車併設用広告支持具において、
前記着脱部は、
前記基部と反対側が２つに分岐して２つの前記支持棒をそれぞれ着脱可能に支持する二股構造を備えている
ことを特徴とする自動車併設用広告支持具。
【請求項４】
請求項１又は請求項２記載の自動車併設用広告支持具において、
前記基部に接続され、前記前接地足部及び前記後接地足部が前記車幅方向に沿って挿入されたとき前記タイヤの接触により導通して、電光掲示を行う前記広告掲示部への電源をＯＮとする接触スイッチ部をさらに有する
ことを特徴とする自動車併設用広告支持具。
【請求項５】
駐車された自動車のタイヤの接地面に載置される第１基部と、
前記自動車の乗降ドアの上方において当該自動車の車長方向に沿って延設される広告掲示部のうち前側を支持し略鉛直方向に延びる第１支持棒を着脱可能に支持し、かつ前記第１基部に一体的に設けられた第１着脱部と、
前記自動車の前輪の前記タイヤのうち前記接地面と接触している第１接触部位を挟み前記車長方向に沿った前側及び後側において当該自動車の車幅の外方から前記車幅方向に沿ってそれぞれ挿入配置され、かつ前記第１基部から遠ざかるにつれて互いの間隔が大きくなるように逆ハの字を構築し、かつ前記第１基部に一体的に設けられた第１前接地足部及び第１後接地足部と、を有し、
前記第１前接地足部及び前記第１後接地足部が、前記接地面に対して略直交するように立設され、前記自動車のサイズに応じて前記タイヤとの当接位置が略車幅方向に可変となる、第１前可変当接部及び第１後可変当接部を備える、第１自動車併設用広告支持具と、
前記接地面に載置される第２基部と、
前記広告掲示部のうち後側を支持し略鉛直方向に延びる第２支持棒を着脱可能に支持し、かつ前記第２基部に一体的に設けられた第２着脱部と、
前記自動車の後輪の前記タイヤのうち前記接地面と接触している第２接触部位を挟み前記車長方向に沿った前側及び後側において当該自動車の車幅の外方から前記車幅方向に沿ってそれぞれ挿入配置され、かつ前記第２基部から遠ざかるにつれて互いの間隔が大きくなるように逆ハの字を構築し、かつ前記第２基部に一体的に設けられた第２前接地足部及び第２後接地足部と、を有し、
前記第２前接地足部及び前記第２後接地足部が、前記接地面に対して略直交するように立設され、前記自動車のサイズに応じて前記タイヤとの当接位置が略車幅方向に可変となる、第２前可変当接部及び第２後可変当接部を備える、第２自動車併設用広告支持具と、
を有することを特徴とする自動車併設用広告支持装置。
【考案の詳細な説明】
【技術分野】
【０００１】
本考案は、自動車併設用広告支持具及び自動車併設用広告支持装置に関する。
【背景技術】
【０００２】
従来、一時イベントのために仮設する旗類の掲揚ポールが知られている（例えば、特許文献１参照）。特許文献１には、この従来技術の掲揚ポールにおいて、基台２を地面に置き、その上を自動車の車輪５等で抑えることによってポール主体１を立設することが記載されている。
【先行技術文献】
【特許文献】
【０００３】
【特許文献１】公開実用新案昭６１−１１０７５８号公報（図１等）
【考案の概要】
【考案が解決しようとする課題】
【０００４】
上記従来技術の掲揚ポールでは、基台２をあらかじめ所定の場所に設置し、その上を車輪がちょうど踏みつけるように車を動かす必要があった。そのため、設置や撤去に際して車を移動させるための所定のスペースが必要となり、車を移動させるための手間が煩雑であるという問題があった。また、自動車のタイヤのサイズに合わせて基台２のサイズを調整する必要があった。
【０００５】
本考案の目的は、自動車の駐車場所や駐車スペース等に制約がなく、かつどのようなサイズの自動車に対しても汎用的に広く適用できる自動車併設用広告支持具及び自動車併設用広告支持装置を提供することにある。
【課題を解決するための手段】
【０００６】
上記目的を達成するために、本願考案は、駐車された自動車のタイヤの接地面に載置される基部と、広告掲示部を支持し略鉛直方向に延びる支持棒を着脱可能に支持し、かつ前記基部に一体的に設けられた着脱部と、前記タイヤのうち前記接地面と接触している接触部位を挟み前記自動車の車長方向に沿った前側及び後側において当該自動車の車幅の外方から前記車幅方向に沿ってそれぞれ挿入配置され、かつ前記基部から遠ざかるにつれて互いの間隔が大きくなるように逆ハの字を構築し、かつ前記基部に一体的に設けられた前接地足部及び後接地足部と、を有する自動車併設用広告支持具であって、前記前接地足部及び前記後接地足部は、前記接地面に対して略直交するように立設され、前記自動車のサイズに応じて前記タイヤとの当接位置が略車幅方向に可変となる、前可変当接部及び後可変当接部を備えることを特徴としている。
【０００７】
本願考案の自動車併設用広告支持具によれば、例えば実開昭６１−１１０７５８号公報に記載の、路面へ固定される構造の広告支持具と異なり、先に自動車が駐車した状態で後から設置するので、自動車が駐車する場所やスペースに制約がない。
【０００８】
また、前接地足部と後接地足部とが逆ハの字形状となっており、小型車でタイヤサイズが小さければハの字が狭くなる奥のほうまでタイヤを進入させ、大型車でタイヤサイズが大きければハの字の手前のほうまでタイヤを進入させることができる。いずれの場合も、前可変当接部及び後可変当接部をタイヤの前後両側にきちんと当接させることができるので、自動車のサイズを問わず自動車脇にて安定的に広告を掲示させることができる。またこの結果、以下の効果がある。
【０００９】
実開昭６１−１１０７５８号公報に記載の、路面へ固定される構造の広告支持具では、取り付け対象となるタイヤのサイズ（すなわち自動車のサイズ）を事前に特定のサイズに限定して設定しておく必要がある。すなわち、小型車用の広告支持具を固定したスペースには小型車しか駐車できず、大型車用の広告支持具を固定したスペースには大型車しか駐車できない。
【００１０】
これに対して、本願考案の自動車併設用広告支持具は大型車も小型車もいずれの場合もタイヤの前後両側にきちんと当接させることができるので、どのようなサイズの自動車に対しても汎用的に広く適用できる。そして、自動車が駐車されてから本願考案の広告支持具を持参して設置すれば足りるので、駐車する自動車側には一切の制限がない。
【考案の効果】
【００１１】
本考案の自動車併設用広告支持具及び自動車併設用広告支持装置によれば、自動車の駐車場所や駐車スペース等に制約がなく、かつどのようなサイズの自動車に対しても汎用的に広く適用できる。
【図面の簡単な説明】
【００１２】
【図１】本実施形態の自動車併設用広告支持具に係る斜視図である。
【図２】自動車併設用広告支持具を自動車に設置した状態を示す斜視図である。
【図３】設置前の自動車併設用広告支持具の斜視図である。
【図４】設置後の自動車併設用広告支持具の斜視図である。
【図５】小さいサイズのタイヤに自動車併設用広告支持具を設置した状態を示す斜視図である。
【図６】基部が二股構造である変形例を示す斜視図である。
【図７】広告掲示部が電光掲示板である変形例を示す斜視図である。
【図８】自動車併設用広告支持装置による変形例を示す斜視図である。
【考案を実施するための形態】
【００１３】
以下、本考案の一実施形態を図面を参照して説明する。
【００１４】
図１は本実施形態の自動車併設用広告支持具１の斜視図である。図１に示す方角は、自動車併設用広告支持具１を設置する接地面に垂直に向かう下方向と、下方向と逆方向である上方向とからなる上下方向と、上下方向にそれぞれ直交する左右方向および前後方向である。同様の方角が図２〜図５にも適宜適用される。
【００１５】
自動車併設用広告支持具１は、接地面（図示なし）に載置される基部２と、基部２に一体的に設けられた着脱部３と、基部２から遠ざかるにつれて互いの間隔が大きくなるように逆ハの字を構築し、かつ基部２に一体的に設けられた前接地足部４及び後接地足部５とを有する。この図では、後方向から前方向に向けて前接地足部４及び後接地足部５との左右方向の間隔が広がって、後方向から見た時に逆ハの字を構築するようになっている。
【００１６】
基部２、着脱部３、前接地足部４及び後接地足部５等の素材は例えば鉄などの金属板等で構成されている。円環形状の着脱部３は平板状の基部２と溶接等によって一体化されている。この図では、着脱部３はさらに複数の補強部１０により基部２に溶接され一体化されている。この図では、基部２は平板状であり、着脱部３は円筒状であり、前接地足部４及び後接地足部５は略Ｌ字状の形状となっている。
【００１７】
前接地足部４及び後接地足部５は、前記接地面に対して略直交するように立設された前可変当接部６及び後可変当接部７を備える。この図では前可変当接部６及び後可変当接部７は接地面に対して略直交する上下方向に延在して立設されている。
【００１８】
前接地足部４及び後接地足部５のうち少なくとも前可変当接部６及び後可変当接部７は、所定間隔で配列された軽量化用の複数の貫通孔８及び切り欠き部
９を備える。この図では、前可変当接部６及び後可変当接部７のそれぞれが５個の貫通孔８及び１個の切り欠き部９を備えている。貫通孔８や切り欠き部９の形状や個数は特に限定されるものではない。
【００１９】
図２は自動車併設用広告支持具１を自動車１１に設置した状態を示す斜視図である。
【００２０】
自動車併設用広告支持具１の基部２は、駐車された自動車１１のタイヤ１２の接地面（図示なし）に載置される。着脱部３には、広告掲示部１３を支持し略鉛直方向に延びる支持棒１４が差し込まれ、支持棒１４を着脱可能に支持している。前接地足部４及び後接地足部５は、タイヤ１２のうち前記接地面と接触している接触部位１５を挟み前記自動車の車長方向（この図の前後方向）に沿った前側及び後側において自動車１１の車幅の外方から前記車幅方向（この図の左右方向）に沿ってそれぞれ挿入配置されている。前接地足部４及び後接地足部５は基部２から遠ざかるにつれて互いの間隔（この図の前後方向の間隔）が大きくなるように逆ハの字を構築している。この図では、右方向から見て逆ハの字となるように構築されている。
【００２１】
前接地足部４及び後接地足部５に備えられた前可変当接部６及び後可変当接部７は、接地面に対して略直交するように立設され、タイヤ１２の接触部位１５を挟んだ前後でタイヤ１２と当接している。
【００２２】
広告掲示部１３は、例えばナイロンやポリエステルなどの合成繊維や、布等で構成されている。支持棒１４は例えばプラスチックや金属等で構成されている。自動車併設用広告支持具１は、例えば自動車の展示会や自動車整備業の広告掲示に使用される他、移動式の店舗（お弁当や飲み物等を乗用車で販売する店舗）等の広告掲示等に使用することができる。
【００２３】
図３は自動車１１のタイヤ１２に自動車併設用広告支持具１を設置する前の状態を示す斜視図である。自動車１１が任意の場所に駐車されている状態で、タイヤ１２の接触部位１５は接地面と接触している。この状態で、自動車併設用広告支持具１の前接地足部４及び後接地足部５を、接触部位１５を挟むように自動車１１の車長方向（この図の前後方向）に沿った前側及び後側において自動車１１の車幅の外方から前記車幅方向（この図の左右方向）に沿ってそれぞれ挿入する。
【００２４】
自動車併設用広告支持具１は、自動車１１が駐車されている状態でタイヤ１２の下に差し込まれるので、前接地足部４に備えられた前可変当接部６と後接地足部５に備えられた後可変当接部７とは少なくともタイヤ１２の接触部位１５の幅（この図の前後方向の幅）以上の間隔を持つように設計されており、また、基部２もタイヤ１２の接触部位１５に重ならない範囲に設けられている。
【００２５】
図３は自動車１１のタイヤ１２に自動車併設用広告支持具１を設置した後の状態を示す斜視図である。自動車併設用広告支持具１の前接地足部４及び後接地足部５が、接触部位１５を挟むように自動車１１の車長方向（この図の前後方向）に沿った前側及び後側において自動車１１の車幅の外方から前記車幅方向（この図の左右方向）に沿ってそれぞれ挿入配置されている。
【００２６】
逆ハの字状になった前接地足部４及び後接地足部５を自動車１１の車幅の外方から前記車幅方向に沿って挿入していくと、接地面に対して略直交するように立設された前可変当接部６及び後可変当接部７がタイヤ１２の接触部位１５の外側の部位に当接した箇所で、自動車併設用広告支持具１が係止するようになっている。
【００２７】
前接地足部４及び後接地足部５は基部２から遠ざかるにつれて互いの間隔（この図の前後方向の間隔）が大きくなるように逆ハの字を構築しているので、前接地足部４及び後接地足部５に備えられた前可変当接部６及び後可変当接部７は、自動車１１のサイズに応じてタイヤ１２との当接位置が略車幅方向に可変となるようになっている。
【００２８】
すなわち、タイヤ１２のサイズが大きい場合には前可変当接部６及び後可変当接部７が車幅方向の比較的手前の位置でタイヤ１２に当接して係止し、タイヤのサイズ１２が小さい場合には前可変当接部６及び後可変当接部７が車幅方向の比較的奥の位置でタイヤ１２に当接して係止する。
【００２９】
図５は、図４のタイヤ１２よりも小さいサイズのタイヤ１２に自動車併設用広告支持具１を設置した状態を示す斜視図である。自動車併設用広告支持具１は、図４と比べて自動車１１の車幅方向の奥側（図の左方向側）まで前可変当接部６及び後可変当接部７が差し込まれた状態でタイヤ１２に当接し係止している。
【００３０】
上述したように、本実施形態では、１つの自動車併設用広告支持具１で様々のタイヤサイズの自動車１１に適用可能であるが、その中でもさらにトラック等の大型自動車用、あるいはバイクや軽自動車などの小型自動車用に特化したサイズの自動車併設用広告支持具１をそれぞれ作成し、使い分けることも可能である。
【００３１】
＜実施形態の効果＞
本実施形態の自動車併設用広告支持具１は、例えば実開昭６１−１１０７５８号公報に記載の、路面へ固定される構造の広告支持具と異なり、先に自動車が駐車した状態で後から設置するので、自動車が駐車する場所やスペースに制約がない。
【００３２】
また、前接地足部４と後接地足部５とが逆ハの字形状となっており、小型車でタイヤサイズが小さければハの字が狭くなる奥のほうまでタイヤを進入させ、大型車でタイヤサイズが大きければハの字の手前のほうまでタイヤを進入させることができる。いずれの場合も、前可変当接部６及び後可変当接部７をタイヤ１２の前後両側にきちんと当接させることができるので、自動車１１のサイズを問わず自動車脇にて安定的に広告を掲示させることができる。またこの結果、以下の効果がある。
【００３３】
実開昭６１−１１０７５８号公報に記載の、路面へ固定される構造の広告支持具では、取り付け対象となるタイヤ１２のサイズ（すなわち自動車１１のサイズ）を事前に特定のサイズに限定して設定しておく必要がある。すなわち、小型車用の広告支持具を固定したスペースには小型車しか駐車できず、大型車用の広告支持具を固定したスペースには大型車しか駐車できない。
【００３４】
これに対して、本願考案の自動車併設用広告支持具１は大型車も小型車もいずれの場合もタイヤの前後両側にきちんと当接させることができるので、どのようなサイズの自動車１１に対しても汎用的に広く適用できる。そして、自動車１１が駐車されてから本願考案の自動車併設用広告支持具１を持参して設置すれば足りるので、駐車する自動車１１側には一切の制限がない。
【００３５】
また、本実施形態では特に、自動車併設用広告支持具１の前接地足部４及び前記後接地足部５のうち少なくとも前記前可変当接部６及び後可変当接部７は、所定間隔で配列された軽量化用の複数の貫通孔８及び／又は切り欠き部９を備える
ことにより、自動車併設用広告支持具１を軽量化できる。これにより、設置が簡単になるとともに、例えば自動車併設用広告支持具１を移動式の店舗に用いる場合等、あちこちに持ち運ぶ必要がある場合に、取り扱いがしやすいものとできる。
【００３６】
また、本実施形態では特に、前記前可変当接部６及び後可変当接部７のうち基部２から最も離れた場所に切り欠き部９が配置されることで、タイヤ１２の前後両側に前接地足部４と後接地足部５を挿入設置しやすい。
【００３７】
＜変形例＞
なお、本発明は、上記実施形態に限られるものではなく、その趣旨及び技術的思想を逸脱しない範囲内で種々の変形が可能である。以下、そのような変形例について説明する。
【００３８】
（１）基部２が二股構造であるもの
図６は基部２が二股構造である変形例を示す斜視図である。この変形例では、自動車併設用広告支持具１の着脱部３は、基部２と反対側が２つに分岐して２つの支持棒１４をそれぞれ着脱可能に支持する二股構造を備える。
【００３９】
このような変形例の自動車併設用広告支持具１によれば、広告掲示部１３と支持棒１４からなる広告ののぼりを２本同時に立てることができる。
【００４０】
（２）電光掲示板１７を用いるもの
図７は広告掲示部１３が電光掲示板１７である変形例を示す斜視図である。この変形例では、広告掲示部１３が布ではなく電光掲示板１７で構成されている。
【００４１】
図７の（ａ）では電光掲示板１７に表示される電光掲示「サービス中」が点灯している状態である。図７の（ｂ）に示すように、自動車併設用広告支持具１は、基部２に接続され、前接地足部４及び後接地足部５が車幅方向に沿って挿入されたときタイヤ１２の接触により導通して、電光掲示を行う広告掲示部１３への電源をＯＮとする接触スイッチ部１６をさらに有する。図７（ｂ）では「サービス中」の電光掲示は消灯している状態である。
【００４２】
図７の（ａ）ではタイヤ１２が接触スイッチ部１６に接触し、電光掲示板１７への電源がＯＮとなっている状態である。自動車併設用広告支持具１はさらに電光掲示のためのバッテリー１７を有する。また、自動車併設用広告支持具１と、電光掲示板１７とは、互いにコネクタ１８を備えたケーブルで接続できるようになっている。電光掲示板１７への導通の方法などは特に上記に限定されず公知の方法を用いることができる。
【００４３】
この変形例によれば、広告掲示部１３が電光掲示パネル方式であったとき、自動車併設用広告支持具１を駐車した自動車１１のタイヤ１２の両側に差し込んで設置するだけで点灯掲示できる。
【００４４】
（３）自動車併設用広告支持装置１９による変形例
自動車併設用広告支持装置１９は、駐車された自動車１１のタイヤ１２の接地面に載置される第１基部２０と、自動車１１の乗降ドアの上方において自動車１１の車長方向に沿って延設される広告掲示部１３のうち前側を支持し略鉛直方向に延びる第１支持棒２１を着脱可能に支持し、かつ前記第１基部２０に一体的に設けられた第１着脱部２２と、自動車１１の前輪のタイヤ１２のうち接地面と接触している第１接触部位２３を挟み前記車長方向に沿った前側及び後側において自動車１１の車幅の外方から車幅方向に沿ってそれぞれ挿入配置され、かつ第１基部から遠ざかるにつれて互いの間隔が大きくなるように逆ハの字を構築し、かつ第１基部２０に一体的に設けられた第１前接地足部２４及び第１後接地足部２５と、を有し、第１前接地足部２４及び第１後接地足部２５が、接地面に対して略直交するように立設され、自動車１１のサイズに応じてタイヤ１２との当接位置が略車幅方向に可変となる、第１前可変当接部２６及び第１後可変当接部２７を備える、第１自動車併設用広告支持具２８を備える。
【００４５】
また、自動車併設用広告支持装置１９は、接地面に載置される第２基部２９と、広告掲示部１３のうち後側を支持し略鉛直方向に延びる第２支持棒３０を着脱可能に支持し、かつ第２基部２９に一体的に設けられた第２着脱部３１と、自動車１１の後輪のタイヤ１２のうち接地面と接触している第２接触部位３２を挟み前記車長方向に沿った前側及び後側において自動車１１の車幅の外方から前記車幅方向に沿ってそれぞれ挿入配置され、かつ第２基部２９から遠ざかるにつれて互いの間隔が大きくなるように逆ハの字を構築し、かつ第２基部２９に一体的に設けられた第２前接地足部３３及び第２後接地足部３４と、を有し、第２前接地足部３３及び第２後接地足部３４が、接地面に対して略直交するように立設され、自動車１１のサイズに応じてタイヤ１２との当接位置が略車幅方向に可変となる、第２前可変当接部３５及び第２後可変当接部３６を備える、第２自動車併設用広告支持具３７を有する。
【００４６】
自動車併設用広告支持装置１９によれば、自動車１１の側部から、門型構造の、大きくてかつ特に目立つ広告掲示を行うことができる。また、例えば、第１自動車併設用広告支持具２８と第２自動車併設用広告支持具３７との間から、自動車１１のドアを開けて試乗したり、移動式店舗の場合は、車内から販売などを行うことができる。
【００４７】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００４８】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４９】
また、以上既に述べた以外にも、上記実施形態や各変形例による手法を適宜組み合わせて利用しても良い。
【００５０】
その他、一々例示はしないが、本考案は、その趣旨を逸脱しない範囲内において、種々の変更が加えられて実施されるものである。
【符号の説明】
【００５１】
１                自動車併設用広告支持具
２                基部
３                着脱部
４                前接地足部
５                後接地足部
６                前可変当接部
７                後可変当接部
８                貫通孔
９                切り欠き部
１０              補強部
１１              自動車
１２              タイヤ
１３              広告掲示部
１４              支持棒
１５              接触部位
１６              接触スイッチ部
１７              電光掲示板
１８              コネクタ  
１９              自動車併設用広告支持装置
２０              第１基部
２１              第１支持棒
２２              第１着脱部
２３              第１接触部位
２４              第１前接地足部
２５              第１後接地足部
２６              第１前可変当接部
２７              第１後可変当接部
２８              第１自動車併設用広告支持具
２９              第２基部
３０              第２支持棒
３１              第２着脱部
３２              第２接触部位
３３              第２前接地足部
３４              第２後接地足部
３５              第２前可変当接部
３６              第２後可変当接部
３７              第２自動車併設用広告支持具
【図１】
0003233389.tif 000003
【図２】
0003233389.tif 000004
【図３】
0003233389.tif 000005
【図４】
0003233389.tif 000006
【図５】
0003233389.tif 000007
【図６】
0003233389.tif 000008
【図７】
0003233389.tif 000009
【図８】
0003233389.tif 000010